(57)【要約】【課題】  本発明の目的は、応力による損傷を防止し得る磁性部品を提供することにある。【課題を解決するための手段】  本発明は、磁心１１に巻き回される巻線１２と、これを収容するボビン１３と、巻線１２の終端を端子１４として活用すべく、巻線１２における所定位置を保持する保持部１５とを備え、該保持部１５が前記ボビン１３に取り付けられて成る磁性部品１０において、保持部１５は、弾性力を有する部材が用いられて形成されていることを特徴とする。【選択図】      図１
2009021296.tif 000002
【特許請求の範囲】
【請求項１】
各部品を対向させて成るボビンにコイルを巻き回し、該コイルの端を端子としてボビン側面において保持する端子台を備えた磁性部品において、
前記端子台は、前記ボビンの側面に設けた第1係合部と、
前記第1係合部との係合を図ると共に、前記コイルの端を挟持する第２係合部とから成ることを特徴とする磁性部品。
【請求項２】
前記第1係合部は、対向させる各部品に形成されていることを特徴とする請求項１記載の磁性部品。
【請求項３】
前記第1係合部は、前記側面からテーパー形状に突出するように延在しており、
前記第２の係合は、延在する前記第1係合の側端から挿嵌されて係合されるべく、前記テーパー形状に応じた窪みを有していることを特徴とする請求項１乃至請求項２記載の磁性部品。
【請求項４】
前記第1係合部は、前記側面において形成された窪みであり、逆テーパー形状を有するように延在しており、
前記第２の係合は、延在する前記第1係合の側端から挿嵌されて係合されるべく、前記逆テーパー形状に応じた突出を有していることを特徴とする請求項１乃至請求項２記載の磁性部品。
【発明の詳細な説明】
【技術分野】
【０００１】
本発明は、磁性部品に関するものである。
【背景技術】
【０００２】
特許文献１に開示されている磁性部品は、コイル先端を端子としており、該コイルを収容するケースの側面において端子を保持する端子台を備えている。また似たような構造として、図２に示すように対向させたボビンにコイルを巻き回し、該コイルの端を端子として利用すべく、該端子をボビン側面に設けた端子台で保持する構造が知られている。このような構造の端子台およびボビンは、従来図に示すように樹脂を用いた金型形成により一体的に形成されている。
【０００３】
ところで、ボビンは、図２の下段に示すように同じ形状の２つの部品を組合せることによって形成されている。すなわち図２に示すように２つの同じ形状の部品を、該各部品の所定の面がそれぞれ対向するように組合せることでボビンが形成される。このように、２つの同じ部品で組合せてボビンを形成することから、各部品を金型形成する際、部品毎に金型を用意する必要がなく、製造コストの低減を図ることができる。
【０００４】
前記したように、同じ形状の部品を組み合わせて形成するボビンには、端子台の形成場所や数が金型によって、一義的に決まる。例えば、図２に示すボビンを例に説明すると、ボビンの一方の側面に２つの端子台を備えるような構造では、一方の側面に対向する他方の側面にも同じように２つの端子台が形成され、合計４つの端子台が形成されることとなる。
【０００５】
ところで磁性部品の端子の数は仕様に応じて決まり、例えば図２の上段に示す磁性部品には２端子が導出されている様子が示されており、該各端子はボビンの一方の側面に設けた端子台によってそれぞれ保持されている。
【特許文献１】特開２００３−１５１８３２号
【発明の開示】
【発明が解決しようとする課題】
【０００６】
しかし、前記したようにボビンは、２つの同じ形状の部品を組み合わせて形成されることから、ボビンの他方の側面には、使用されない端子台が存在することとなる。従って、磁性部品の一方の面側に２端子分の端子台のみしか必要でない場合であっても、他方の面側に２端子分の余分な端子台が形成されることとなり、その無駄に形成される端子台によって小型化が図れないことが問題となっていた。
【０００７】
そこで、本発明は前記した課題に鑑みて成されたものであり、端子台の無駄を省きかつ小型化を図り得る端子台を備えた磁性部品を提供することにある。
【課題を解決するための手段】
【０００８】
本発明は、前記目的を達成するために創案されたものであり、各部品を対向させて成るボビンにコイルを巻き回し、該コイルの端を端子としてボビン側面において保持する端子台を備えた磁性部品において、端子台は、前記ボビンの側面に設けた第1係合部と、第1係合部との係合を図ると共に、コイルの端を挟持する第２係合部とから成ることを特徴とする。
【０００９】
第1係合部は、対向させる各部品に形成されていることを特徴とする。
第1係合部は、側面からテーパー形状に突出するように延在しており、第２の係合は、延在する第1係合の側端から挿嵌されて係合されるべく、テーパー形状に応じた窪みを有していることを特徴とする。
【００１０】
第1係合部は、側面において形成された窪みであり、逆テーパー形状を有するように延在しており、第２の係合は、延在する第1係合の側端から挿嵌されて係合されるべく、逆テーパー形状に応じた突出を有していることを特徴とする。
【発明の効果】
【００１１】
本発明の端子台を備えた磁性部品によれば、ボビンの側面に第1係合部を設け、当該第1係合部に第２係合部を係合せしめることで端子台を形成する。これにより、第２係合部を第1係合部に係合させなければ端子台が形成されず、無駄に端子台が形成されることを防止することができる。更に無駄な端子台が形成されないことから、ボビン側面のスリム化を図ることができ、結果的に小型化を図った端子台を備えた磁性部品を形成することができる。
【発明を実施するための最良の形態】
【００１２】
以下、図面を用いて、本発明の実施形態を詳細に説明するが、以下の説明では、実施の形態に用いる図面について同一の構成要素は同一の符号を付し、かつ重複する説明は可能な限り省略する。
【実施例１】
【００１３】
本発明の磁性部品は、例えばインダクタやトランスなどの磁気的動作の電子部品であるが、以降の説明ではインダクタを例に説明を行う。
【００１４】
尚、本発明のインダクタは、基本的な部位については従来と同様であり、分割コア、２つの部品から成るボビンおよびコイルを備える。分割コアはコの字状を有しており、コの字の先端がボビンに設けた孔に挿嵌され、当該コの字状の先端を付き合わせることでボビンに装着される。この様な状態のボビンは、その周囲にコイルが巻き回され、該コイルの端が端子として側面において端子台によって保持される。
【００１５】
ボビン２０は、図１の（ａ）に示すように、従来と同様に２つの部品（部品Ａ２１および部品Ｂ２２）から構成されており、該各部品を互いに組み合わせることで一つのボビンが形成される。
ボビンを構成する各部品２１および２２には、本発明の特徴である端子台１０が形成されている。この端子台１０は、図１の（ｂ）に示すように、２つの部品から構成されている。
【００１６】
端子台１０を構成する一方の部品は、ボビンの側面で当該ボビンと一体的に設けられた第1係合部１１であり、他方の部品は第1係合部と係合すると共に端子を挟持する第２係合部１２である（図１の（ｂ）参照）。
【００１７】
第1係合部１１は樹脂を用いた金型形成によりボビン２０（部品Ａ２１又は部品Ｂ２２）と一体的に形成されており、ボビン２２の側面から突出するように形成されている。この突出は、後述する第２係合部１２と係合可能に形成されており、例えば図１に示すように、ボビン２０の側面から離間するに従って突出側面間が次第に離間するテーパー形状を有しており、これがボビン２０の表面に延在するように設けられている。
【００１８】
第２係合部１２は、基本的には立方形状であり、その一つの面に窪みが延在するように形成されている。この窪みを断面で見ると、前記した第1係合部の突出形状に応じた逆テーパー形状に形成されており、この窪みを有する第２係合部１２が第1係合部１１の側端から挿嵌されて第1係合部１１と係合される。
【００１９】
尚、第1係合部１１において延在するテーパー形状の突出には、延在の終端にストッパが設けられている。このストッパを延在する突出の終端に設けることにより、挿嵌される第２係合部１２が所定の位置で停止される。
【００２０】
また、第２係合部１２は、図１に示すように、前記した窪みが形成された面と対抗する面に切欠きを有している。この切欠きは、端子を挟持するためのものであり、当該切欠きに端子が挟持された状態で、そこに接着剤が注入される。これにより、切欠きによって挟持される端子が接着剤により第２の係合部１２に強固に固着される。
【００２１】
ところで、前記した端子台１０の構成部品の一つである第1係合部１１は、ボビン２０の両側面に設けられており合計４箇所の第1係合部１１が設けられている。具体的にはボビン２０の一方の側面に第1係合部１１が２箇所設けられており、ボビン２０の他方の側面に第1係合部１２が２箇所設けられており、より詳細にはボビン２０を構成する２つの部品（部品Ａ２１および部品Ｂ２２）のそれぞれにおいて、該各部品２１および２２の一方の側面および他方の側面それぞれに第1の係合部１１が形成されている。
【００２２】
これは、２つの部品（部品Ａ２１および部品Ｂ２２）を組み合わせて成るボビン２０において、当該ボビンの各部品２１および２２を共通の金型で形成するためである。これにより、ボビン２０を構成する部品毎に金型を形成する必要が無く、製造コストの低減を図ることができる。
【００２３】
更に、前記したようにボビン２０の部品毎に第1係合部１１を形成し、当該第1係合部１１に第２係合部１２を係合せしめることで端子台１０が形成されることから、第２係合部１２を第1係合部１１に係合させなければ端子台１０が形成されず、無駄に端子台１０が形成されることを防止することができる。これにより、無駄な端子台１０が形成されることなく、ボビン２０側面のスリム化を図ることができる。しかも、無駄に端子台１０が形成されないことから、製造コストを低減することができる。
【図面の簡単な説明】
【００２４】
【図１】本発明のインダクタの全体構造図である。
【図２】従来の磁性部品を示す図である。
【符号の説明】
【００２５】
１０  端子台
１１  第1係合部
１２  第２係合部
２０  ボビン
２１  部品Ａ
２２  部品Ｂ
【図１】
2009021296.tif 000003
【図２】
2009021296.tif 000004